(57)【要約】【課題】高温下での高速回転においても、バンドストッパー部近傍の異常変形を効果的に阻止できる自在継手用ブーツを提供すること。【解決手段】本発明の自在継手用ブーツは、自在継手の外輪に固定される大径固定部と、自在継手のシャフトに固定される小径固定部と、前記大径固定部と前記小径固定部とを連結するベロー部とを有する樹脂材製自在継手用ブーツにおいて、前記大径固定部が、バンドストッパー部と、前記バンドストッパー部と前記ベロー部とを連結しているつなぎ部とよりなる構成とした。【選択図】  図１
2008261385.tif 000002
【特許請求の範囲】
【請求項１】
自在継手の外輪（２０）に固定される大径固定部（１）と、自在継手のシャフト（３０）に固定される小径固定部（２）と、前記大径固定部（１）と前記小径固定部（２）とを連結するベロー部（３）とを有する樹脂材製自在継手用ブーツにおいて、前記大径固定部（１）が、バンドストッパー部（１１）と、前記バンドストッパー部（１１）と前記ベロー部（３）とを連結しているつなぎ部（１２）とよりなることを特徴とする自在継手用ブーツ。
【請求項２】
前記つなぎ部（１２）は、略円筒形状を呈し、その内周面（１２１）が前記外輪（２０）の外周面と密着する形状であることを特徴とする請求項１記載の自在継手用ブーツ。
【請求項３】
前記バンドストッパー部（１１）は、前記大径固定部（１）のバンド固定面（１３）よりも径方向外方に突出していることを特徴とする請求項１または２記載の自在継手用ブーツ。
【請求項４】
前記バンドストッパー部（１１）の内周面には環状空所（１１１）が存在することを特徴とする請求項１〜３いずれか一項に記載の自在継手用ブーツ。
【請求項５】
前記つなぎ部（１２）の外径は前記バンドストッパー部（１１）の外径より小径であることを特徴とする請求項１〜４いずれか一項に記載の自在継手用ブーツ。
【請求項６】
前記バンドストッパー部（１１）は、その外周面（１１２）が前記バンド固定面（１３）よりも０．５〜５mm大きく、前記外周面（１１２）の軸方向幅が０．５〜３mmであることを特徴とする請求項１〜５いずれか一項に記載の自在継手用ブーツ。
【請求項７】
前記樹脂材が熱可塑性エラストマであることを特徴とする請求項１〜６いずれか一項に記載の自在継手用ブーツ。
【請求項８】
前記樹脂材製自在継手用ブーツがブロー成形により成形されていることを特徴とする請求項１〜７いずれか一項に記載の自在継手用ブーツ。
【発明の詳細な説明】
【技術分野】
【０００１】
本発明は、自在継手用ブーツに関する。
また、本発明は、プロペラシャフト、操舵装置等の自在継手の作動部に使用される自在継手用ブーツに関する。
【背景技術】
【０００２】
従来、第３図に示す自在継手用ブーツが知られている。
【０００３】
この種の自在継手用ブーツは、高速で回転する環境で使用するため、高速回転に耐えうる性能が要求される。
また、１２０℃程度の高温に耐える性能も要求される。
従って、高温環境下に高速で回転すると、ブーツは径方向外方に押し広げられる。
特に、ブーツ内部に封入されたグリースは、この傾向を助長する。
そして、大径固定部１００とベロー部３００との連結部であるバンドストッパー部１１０においてこの傾向が顕著であった。
【０００４】
これは、バンドストッパー部１１０の所だけ肉厚に成形することは、通常、ブーツがブロー成形で成形される関係上、困難であった。
この結果、バンドストッパー部１１０の内周側に、バンドストッパー部１１０が径方向外方に突出した分径方向内方に環状空所１１３が不可避的に発生する。
そして、この環状空所１１３は、グリースが封入されたベロー部３００の内周部空間と簡単に連通する。
このため、この環状空所１１３内にグリースが入り込み、高温下での高速回転の影響により、バンドストッパー部１１０近傍が異常変形するという問題を惹起していた。
【０００５】
【特許文献１】特開２００３−０８３４４９号公報
【特許文献２】特開２００６−０９７８１０号公報
【特許文献３】特開平１０−２６７１２５号公報
【発明の開示】
【発明が解決しようとする課題】
【０００６】
本発明は、このような課題に鑑みてなされたものであり、高温下での高速回転においても、バンドストッパー部近傍の異常変形を効果的に阻止できる自在継手用ブーツを提供することを目的とする。
【課題を解決するための手段】
【０００７】
本発明の自在継手用ブーツは、自在継手の外輪に固定される大径固定部と、自在継手のシャフトに固定される小径固定部と、前記大径固定部と前記小径固定部とを連結するベロー部とを有する樹脂材製自在継手用ブーツにおいて、前記大径固定部が、バンドストッパー部と、前記バンドストッパー部と前記ベロー部とを連結しているつなぎ部とよりなる構成とした。
【発明の効果】
【０００８】
本発明は、以下に記載されるような効果を奏する。
請求項１記載の発明の自在継手用ブーツによれば、バンドストッパー部近傍の異常変形を効果的に阻止できる。
また、請求項２記載の発明の自在継手用ブーツによれば、バンドストッパー部内周側へのグリースの侵入を防ぐ事が出来る。
【０００９】
更に、請求項３記載の発明の自在継手用ブーツによれば、大径バンドが、バンド固定面からベロー部側にずれることを阻止出来る。
【００１０】
更に、請求項４記載の発明の自在継手用ブーツによれば、ブロー成形により不可避的に環状空所が発生するブーツにおいて特に有効である。
【００１１】
更に、請求項５記載の発明の自在継手用ブーツによれば、ブロー成形に適した形状とすることが出来る。
【００１２】
更に、請求項６記載の発明の自在継手用ブーツによれば、各種の規格に対応出来る。
【００１３】
更に、請求項７記載の発明の自在継手用ブーツによれば、耐久性が良好なブーツとすることが出来る。
【００１４】
更に、請求項８記載の発明の自在継手用ブーツによれば、ブロー成形において本発明の効果が顕著である。
【発明を実施するための最良の形態】
【００１５】
以下、本発明を実施するための最良の形態について、図１および図２に基づいて説明する。
図２は図１の部分拡大図である。
【００１６】
図に示す様に、本発明に係る自在継手用ブーツは樹脂材好ましくは、ポリエステル、ポリウレタン等の熱可塑性エラストマーの弾性材によりブーツが形成されている。
【００１７】
本発明に係る自在継手用ブーツは、自在継手の外輪２０に固定される大径固定部１と、自在継手のシャフト３０に固定される小径固定部２と、この大径固定部１と小径固定部２とを連結するベロー部３とを備えている。
そして、大径固定部１は、バンドストッパー部１１と、このバンドストッパー部１１とベロー部３とを連結しているつなぎ部１２とを有している。
【００１８】
また、このつなぎ部１２は、略円筒形状を呈し、その内周面１２１が外輪２０の外周面と密着する形状となっている。
好ましくは、つなぎ部１２の内径は、外輪２０の外径よりも若干小さく設計されている。
このことにより、高温環境下においても、つなぎ部１２と外輪２０との間にグリースが侵入することは無い。
更に、バンドストッパー部１１は、大径固定部１の大径バンド（図示せず）が固定される、バンド固定面１３よりも径方向外方に突出している。
このことにより、大径バンドが、バンド固定面１３からベロー部３側にずれることを阻止出来る。
【００１９】
また、バンドストッパー部１１の内周面には環状空所１１１が存在する。
これは、ブーツがブロー成形により行われると、バンドストッパー部１１を径方向外方に突出させる為に、不可避的に発生する。
更に、バンドストッパー部１１は、その外周面１１２がバンド固定面１３よりも０．５〜５mm大きく、外周面１１２の軸方向幅が０．５〜３mmである。
このことにより、各種の仕様に対応出来る。
また、つなぎ部１２の外径は、バンドストッパー部１１の外径より小径となっている。
【００２０】
以上のことから、本発明を実施するための最良の形態によれば、ブーツが高温下での高速回転においても、バンドストッパー部近傍の異常変形を効果的に阻止でき、結果として、長時間の使用に耐えうる自在継手用ブーツとすることができる。
【００２１】
また、本発明は上述の発明を実施するための最良の形態に限らず本発明の要旨を逸脱することなくその他種々の構成を採り得ることはもちろんである。
【図面の簡単な説明】
【００２２】
【図１】自在継手用ブーツにかかる本発明の実施の形態を示す断面である。
【図２】図１の部分拡大図である。
【図３】従来技術に係る、自在継手用ブーツの断面である。
【符号の説明】
【００２３】
１  大径固定部
２  小径固定部
３  ベロー部
11  バンドストッパー部
12  つなぎ部
13  バンド固定面
【図１】
2008261385.tif 000003
【図２】
2008261385.tif 000004
【図３】
2008261385.tif 000005